(57)【特許請求の範囲】
【請求項１】
情報信号を記録する円盤状のディスクである回転駆動体（１）と、回転駆動体（１）を回転可能な状態で収容する平面視が四角形のケース本体（２）と、ケース本体（２）の上下面に開口した信号読み書き窓（３）と、該窓（３）をスライド開閉する上下一対の主面壁（４ａ）を備えたシャッター（４）とを備えている回転駆動体を収容するケースであって、
シャッター（４）は、ばね（６）で閉じ勝手に移動付勢されており、
ケース本体（２）の上下面には、シャッター（４）の開閉領域に対応して、スライド凹部（７）が凹み形成されており、
回転駆動体（１）の回転駆動に伴って生じる流動空気を逃がす開放口（１０）が、上下の信号読み書き窓（３）に連続して設けられており、
開放口（１０）は、信号読み書き窓（３）の一対の側縁のうち、回転駆動体（１）の回転上手側の側縁（３ａ）に切り欠き形成されており、
開放口（１０）をスライド開閉する蓋体（１１）が、シャッター（４）の上下面を構成する主面壁（４ａ）と一体に形成されており、
スライド凹部（７）の開放端側の周縁壁に、蓋体（１１）の突端側のケース外へのスライド変位を許す逃げ凹部（１２）が、スライド凹部（７）と面一状に設けられており、
信号読み書き窓（３）の開口縦寸法（ａ）を基準にして、開放口（１０）の開口縦寸法（ｂ）が先の開口縦寸法（ａ）より小さく設定してある回転駆動体を収容するケース。
【発明の詳細な説明】
【０００１】
【発明の属する技術分野】
この発明は、例えば光磁気ディスクなどの回転駆動体を収容するケースに関する。
【０００２】
【従来の技術】
この種のケースは、例えば、ディスクと呼ばれる回転駆動体と、回転駆動体を収容する四角形の薄いケース本体と、ケース本体に設けた信号読み書き窓をスライド開閉するシャッターとを備えている。不使用状態において、シャッターはケース本体の内部に設けたロック爪でロック保持されて、信号読み書き窓を閉じている。信号読み書き窓と共に、ケース本体の下面中央に開口する駆動穴をシャッターで同時に閉じる形態のものもある。
【０００３】
【発明が解決しようとする課題】
光磁気ディスクを信号記録媒体とするもののひとつにミニディスクがあるが、これをさらにひと回り小さくし、さらに信号記録容量を向上することを狙った次世代の記録媒体が提案されている。ディスクドライブ、とくにポータブル型のディスクドライブの小型化や軽量化の要求に応えるためである。そこでは、ディスクの直径寸法が小さい分だけ周速度が低下する。そのため、より高速度でディスクを回転して信号の読み書きを行うことが想定される。ところが、ディスクの回転速度が高速化するのに伴って、それまで殆ど無視できた空気抵抗が問題になって来る。
【０００４】
ディスクを高速度で回転駆動すると、その表面で引き擦られた空気が渦を形成し、ケース本体内を流動する。この流動空気や渦はディスクの回転を阻害する要因のひとつとなる。そのため、ディスクドライブの側では先の流動空気や渦による空気抵抗に打ち勝ってディスクを高速回転させる必要があり、その分だけディスクドライブの電力消費量が増す。とくに、電池を電源とするポータブル型のディスクドライブや、ノート型のパーソナルコンピュータに組み込まれたディスクドライブなど、連続使用時間が重要な商品仕様となる機器においては、電力消費量の多さが問題視される。
【０００５】
使用時には、ディスクを収容するケースのシャッターをスライドして信号読み書き窓を開放する。従って、ケース内を流動する空気の一部は信号読み書き窓から流れ出る。しかし、ケース本体で覆われているディスクの表面積が大きいので、上記のように流動空気の一部が流出したとしても、ディスクの回転抵抗を左程減少できるわけではない。
【０００６】
この発明の目的は、光磁気ディスクなどの回転駆動体を収容する手段として、回転駆動時の空気抵抗を確実に減少でき、その分だけ  ディスクドライブの電力消費を抑止し、連続使用時間を延ばすことができる、回転駆動体を収容するケースを提供することにある。
この発明の他の目的は、ケース構造とシャッター構造とを一部変更するだけで、回転駆動体の駆動時の空気抵抗を減少でき、従って新たな部品の追加などのコスト増を伴うこともなく、回転駆動体の駆動時の空気抵抗を減少でき、とくに高速度で回転駆動される回転駆動体に好適なケースを提供することにある。
【０００７】
【課題を解決するための手段】
この発明にかかるケースは、回転駆動体（例えば、情報信号を記録するディスク）１と、回転駆動体１を回転可能な状態で収容するケース本体２と、ケース本体２に開口した窓（例えば、情報信号読み書き窓）３を開閉するシャッター４とを備えている。ケース本体２の一部には、回転駆動体１の回転駆動に伴って生じる流動空気を逃がす開放口１０を設けたうえで、不使用状態において開放口１０を塞ぐ蓋体１１が、ケース本体２で開閉自在に支持されている。
【０００８】
具体的には、開放口１０を窓３に連続して設け、蓋体１１をシャッター４と一体に形成する。
【０００９】
窓３の一対の側縁のうち、回転駆動体１の回転上手側の側縁３ａに開放口１０を切り欠き形成する。窓３の開口縦寸法ａを基準にして、開放口１０の開口縦寸法ｂは先の開口縦寸法ａより小さく設定する。
【００１０】
【作用】
ケース本体２の一部に開放口１０を開口し、回転駆動体１の回転に伴って生じる流動空気を開放口１０から逃がすので、その分だけ回転駆動体１の回転時の空気抵抗が減少し、回転駆動体１の駆動に要する電力量を減少できる。開放口１０を窓３に連続して設け、これをシャッター４と一体に形成した蓋体１１で開閉すると、ケース本体２の構造の変更と、シャッター４の形状の変更を行うだけで、ケース内部の流動空気を逃がすことができるので、回転駆動体１を収容するケースの製造コストが増加するのを避けながら、新たな機能を付加できる。シャッター４の開閉動作を利用して開放口１０を開閉できるので、ドライブ側の機構を変更する必要がない点でも有利である。
【００１１】
窓３の一対の側縁のうち、回転駆動体１の回転上手側の側縁３ａに開放口１０が切り欠き形成されていると、回転駆動体１の表面によって引き擦られた流動空気を、窓３で窓外へ流出させ、さらに開放口１０から逃がせるので、回転駆動体１の駆動時の空気抵抗を効果的に減少できる。窓３と開放口１０の開口縦寸法ａ・ｂに関して前者の開口縦寸法ａより後者の開口縦寸法ｂを小さく設定するのは、流動空気を効果的に逃がしながら、開放口１０の開口面積をできるだけ小さくし、ケース本体２のケース強度がいたずらに低下するのを防ぐためである。
【００１２】
【実施例】
図１ないし図３は、この発明にかかるケースをディスクカートリッジに適用した場合の実施例を示す。図２において、ディスクカートリッジは情報信号を記録する円盤状のディスク（回転駆動体。この例では、光磁気ディスクである。）１と、ディスク１を回転自在な状態で収容するケース本体２とからなる。ディスク１はディスク本体の片面ないし両面に情報信号を記録でき、ディスク本体の下面中央にハブが固定してある。
【００１３】
ケース本体２は、それぞれプラスチック成形された上ケース２ａと下ケース２ｂとを接合した、平面視が四角形のケースからなり、上下面の一側寄りに信号読み書き窓（本発明でいうところの窓）３が開口している。この窓３はシャッター４でスライド開閉される。シャッター４は閉じ位置においてロック爪５でロック保持され、捻じりコイル形のばね６で閉じ勝手に移動付勢してある。ケース本体２の上下面には、シャッター４の開閉領域に対応して、浅いスライド凹部７が凹み形成してある。
【００１４】
上記のように構成したディスクカートリッジは、ケース本体２を図１の矢印で示す向きにディスクドライブに装填することにより、ロック爪５がロック解除操作され、シャッター４がばね６の付勢力に抗してスライド開放される。ディスク１は、ケース本体２の下面中央の駆動穴から進入する駆動軸でハブを介して保持固定され、図２において時計回転方向へ回転駆動される。このとき、ディスク１の回転駆動に伴って生じる流動空気を効果的にケース外へ逃がし、これによりディスク駆動時の空気抵抗を減少するために、開放口１０とこれを開閉する蓋体１１とを付加する。
【００１５】
図１に破線群で示すように、開放口１０は信号読み書き窓３の一対の側縁のうち、ディスク１の回転上手側の側縁３ａに連続して切り欠き形成する。また、蓋体１１はシャッター４の主面壁４ａと一体に形成して、信号読み書き窓３をシャッター４で閉じた状態において、開放口１０を蓋体１１で閉止できるようにした。このとき、信号読み書き窓３の開口縦寸法ａを基準にして、開放口１０の開口縦寸法ｂが先の開口縦寸法ａより小さくなるように設定した。但し、両寸法ａ・ｂは、各開口縁のケース中央側の開口縁を基準にして設定してあり、従ってこの基準縁は一直線状に連続している。
【００１６】
図１においてシャッター４は、信号読み書き窓３を開放し、さらに開放口１０を開放する位置までスライド操作される。このとき、蓋体１１はスライド凹部７からはみ出る。そのため、スライド凹部７の開放端側の周縁壁に、スライド凹部７と面一状の逃げ凹部１２を設けてあり、蓋体１１の突端側は逃げ凹部１２を介してケース外へスライド変位できる。
【００１７】
以上のように信号読み書き窓３とは別に開放口１０を設けてあると、ディスク１の回転駆動に伴って生じる流動空気やディスク表面に生じる渦流は、信号読み書き窓３と開放口１０とのそれぞれから逃げるので、ディスク駆動時の空気抵抗が減少し、その分だけディスク駆動時の電力消費量を減少して、ディスクドライブの連続使用時間を延長できる。
【００２０】
【発明の効果】
この発明では、ケース本体２に開放口１０を開口し、回転駆動体１を回転駆動する際に生じる流動空気を開放口１０から逃がして、回転駆動体の駆動時の空気抵抗を減少できるようにした。従って、回転駆動時の空気抵抗を減少できる分だけ、駆動用ドライブの電力消費を抑止し、連続使用時間を増強できる。
【００２１】
開放口１０を窓３に連続して形成し、さらに蓋体１１をシャッター４と一体に形成してあると、ケース本体２とシャッター４との構造および形状を一部変更するだけで、回転駆動体１の駆動時の空気抵抗を減少できるので、新たな機能が付加されたケースでありながら、その製造コストを抑制でき、さらにシャッター４の開放動作を利用して、開放口１０を開放できる点で有利である。
【図面の簡単な説明】
【図１】シャッターを開いた状態でのケースの平面図である。
【図２】シャッターを閉じた状態でのケースの平面図である。
【図３】図１におけるＡ−Ａ線断面図である。
【符号の説明】
１  回転駆動体（ディスク）
２ ケース本体
３ 窓（信号読み書き窓）
４ シャッター
１０ 開放口
１１ 蓋体
【図１】
0004131526.tif 000002
【図２】
0004131526.tif 000003
【図３】
0004131526.tif 000004